(57)【要約】【課題】製造コストの増加を抑えつつ、一方のファスナーテープから他方のファスナーテープに電気信号を安定して流すことができるスライドファスナー及びコネクタ部材を提供する。【解決手段】一対のファスナーテープ２０と、一対のファスナーテープ２０の対向するテープ側縁部２０ａをファスナーテープ２０の裏面側に向かって折り曲げることにより形成される折曲縁部２０ｂにそれぞれ設けられ、複数のファスナーエレメント３１を有する一対のファスナーエレメント列３０と、を備え、一対のファスナーテープ２０に、一対のファスナーテープ２０が一対のファスナーエレメント列３０の噛合により結合された状態において、一対のファスナーテープ２０の幅方向に延びる導電層２１が少なくとも１つ設けられる。【選択図】図１
2014097110.tif 000002
【特許請求の範囲】
【請求項１】
一対のファスナーテープ（２０）と、
前記一対のファスナーテープの対向するテープ側縁部（２０ａ）を前記ファスナーテープの裏面側に向かって折り曲げることにより形成される折曲縁部（２０ｂ）にそれぞれ設けられ、複数のファスナーエレメント（３１，６１，７１）を有する一対のファスナーエレメント列（３０）と、を備え、
前記一対のファスナーテープに、前記一対のファスナーテープが前記一対のファスナーエレメント列の噛合により結合された状態において、前記一対のファスナーテープの幅方向に延びる導電層（２１）が少なくとも１つ設けられることを特徴とするスライドファスナー。
【請求項２】
前記導電層（２１）は、前記一対のファスナーテープ（２０）の幅方向に亘って連続して設けられることを特徴とする請求項１に記載のスライドファスナー。
【請求項３】
前記一対のファスナーエレメント列（３０）を噛合・分離させるスライダー（４０）を更に備えることを特徴とする請求項１又は２に記載のスライドファスナー。
【請求項４】
前記一対のファスナーエレメント列（３０）の下端部に開離嵌挿具（１２）が設けられることを特徴とする請求項３に記載のスライドファスナー。
【請求項５】
前記ファスナーエレメント（３１）は、樹脂の射出成形により前記ファスナーテープ（２０）に一体的に成形されることを特徴とする請求項１〜４のいずれか１項に記載のスライドファスナー。
【請求項６】
前記ファスナーエレメント（３１）は、前記折曲縁部（２０ｂ）の芯紐（２０ｃ）を抱持する断面Ｃ字形状の基部（３２）と、前記基部の上側の先端から延設される平板状の第１テープ挟持部（３３）と、前記基部の下側の先端から延設される平板状の第２テープ挟持部（３４）と、前記第２テープ挟持部に形成される噛合部（３５）と、を有し、
一方の前記ファスナーエレメントの前記第１テープ挟持部の先端面（３３ａ）と他方の前記ファスナーエレメントの前記第１テープ挟持部の先端面（３３ａ）との間に前記一対のファスナーテープ（２０）が挟み込まれ、
前記導電層（２１）は、前記一対のファスナーテープの前記挟み込み部分（２０ｄ）の表面にまで設けられることを特徴とする請求項１〜５のいずれか１項に記載のスライドファスナー。
【請求項７】
前記導電層（２１）は、前記ファスナーテープ（２０）の長手方向において、前記ファスナーエレメント列（３０）の範囲内に設けられることを特徴とする請求項１〜６のいずれか１項に記載のスライドファスナー。
【請求項８】
前記導電層（２１）は、前記ファスナーテープ（２０）の長手方向において、少なくとも２つ以上の前記ファスナーエレメント（３１，６１，７１）の間隔を空けて設けられており、前記導電層（２１）間は電気的に非接触状態であることを特徴とする請求項７に記載のスライドファスナー。
【請求項９】
前記導電層（２１）は、前記ファスナーテープ（２０）に固着されており、
前記ファスナーテープは、絶縁体であることを特徴とする請求項１〜８のいずれか１項に記載のスライドファスナー。
【請求項１０】
前記導電層（２１）は、導電性塗料を前記ファスナーテープ（２０）に塗布することにより形成されることを特徴とする請求項１〜９のいずれか１項に記載のスライドファスナー。
【請求項１１】
請求項１〜１０のいずれか１項に記載のスライドファスナーを使用したコネクタ部材であって、
前記一対のファスナーエレメント列（３０）が噛合された状態では、前記一対のファスナーテープ（２０）の前記導電層（２１）が電気的に接続されて電気信号を伝達可能とし、
前記一対のファスナーエレメント列が分離された状態では、前記一対のファスナーテープ（２０）の前記導電層（２１）の電気的接続が切断されることを特徴とするコネクタ部材。
【発明の詳細な説明】
【技術分野】
【０００１】
この発明は、導電性ファスナー、即ち、導電性を有するファスナーに関し、詳しくは、一方のファスナーテープから他方のファスナーテープに電気信号を流すことができるスライドファスナー及びコネクタ部材に関する。
【背景技術】
【０００２】
従来では、一方のテープのエレメントを設けた側端部の上端部に第３の導電部を設け、第３の導電部と離隔して第４の導電部を設け、他方のテープのエレメントを設けた側端部に、少なくとも第３の導電部及び第４の導電部と対向する位置に渡って第５の導電部を設け、第３の導電部及び第５の導電部を設けた部位に設けられたエレメント、及び第４の導電部及び第５の導電部を設けた部位に設けられたエレメントが導電機能を有するスライドファスナーが知られている（例えば、特許文献１参照）。
【０００３】
また、従来では、複数の導電性係合部材をそれぞれ隣合う導電性係合部材との間に所定幅の開口スペースを介して一列に保持してなるコネクタであり、２つのコネクタを互いに対向させてジッパーを閉めるようにこれら２つのコネクタを係合させるもので、複数の導電性係合部材を、弾性材料によりインサート成形された絶縁性保持部材により一体的に保持するジッパー式コネクタが知られている（例えば、特許文献２参照）。
【先行技術文献】
【特許文献】
【０００４】
【特許文献１】特開２００７−１８５４８０号公報
【特許文献２】特開平６−３３３６４８号公報
【発明の概要】
【発明が解決しようとする課題】
【０００５】
ところで、上記特許文献１に記載のスライドファスナーでは、噛合状態の左右のファスナーエレメント間にクリアランスが存在するため、電気信号の流れが不安定になる可能性があった。また、上記特許文献２に記載のジッパー式コネクタでは、各ファスナーエレメント（導電性係合部材）間に絶縁性保持部材をインサート成形するため、製造コストが増加してしまう可能性があった。
【０００６】
本発明は、前述した事情に鑑みてなされたものであり、その目的は、製造コストの増加を抑えつつ、一方のファスナーテープから他方のファスナーテープに電気信号を安定して流すことができるスライドファスナー及びコネクタ部材を提供することにある。
【課題を解決するための手段】
【０００７】
本発明の上記目的は、下記の構成により達成される。
（１）一対のファスナーテープと、一対のファスナーテープの対向するテープ側縁部をファスナーテープの裏面側に向かって折り曲げることにより形成される折曲縁部にそれぞれ設けられ、複数のファスナーエレメントを有する一対のファスナーエレメント列と、を備え、一対のファスナーテープに、一対のファスナーテープが一対のファスナーエレメント列の噛合により結合された状態において、一対のファスナーテープの幅方向に延びる導電層が少なくとも１つ設けられることを特徴とするスライドファスナー。
（２）導電層は、一対のファスナーテープの幅方向に亘って連続して設けられることを特徴とする（１）に記載のスライドファスナー。
（３）一対のファスナーエレメント列を噛合・分離させるスライダーを更に備えることを特徴とする（１）又は（２）に記載のスライドファスナー。
（４）一対のファスナーエレメント列の下端部に開離嵌挿具が設けられることを特徴とする（３）に記載のスライドファスナー。
（５）ファスナーエレメントは、樹脂の射出成形によりファスナーテープに一体的に成形されることを特徴とする（１）〜（４）のいずれか１つに記載のスライドファスナー。
（６）ファスナーエレメントは、折曲縁部の芯紐を抱持する断面Ｃ字形状の基部と、基部の上側の先端から延設される平板状の第１テープ挟持部と、基部の下側の先端から延設される平板状の第２テープ挟持部と、第２テープ挟持部に形成される噛合部と、を有し、一方のファスナーエレメントの第１テープ挟持部の先端面と他方のファスナーエレメントの第１テープ挟持部の先端面との間に一対のファスナーテープが挟み込まれ、導電層は、一対のファスナーテープの挟み込み部分の表面にまで設けられることを特徴とする（１）〜（５）のいずれか１つに記載のスライドファスナー。
（７）導電層は、ファスナーテープの長手方向において、ファスナーエレメント列の範囲内に設けられることを特徴とする（１）〜（６）のいずれか１つに記載のスライドファスナー。
（８）導電層は、ファスナーテープの長手方向において、少なくとも２つ以上のファスナーエレメントの間隔を空けて設けられており、導電層間は電気的に非接触状態であることを特徴とする（７）に記載のスライドファスナー。
（９）導電層は、ファスナーテープに固着されており、ファスナーテープは、絶縁体であることを特徴とする（１）〜（８）のいずれか１つに記載のスライドファスナー。
（１０）導電層は、導電性塗料をファスナーテープに塗布することにより形成されることを特徴とする（１）〜（９）のいずれか１つに記載のスライドファスナー。
（１１）（１）〜（１０）のいずれか１つに記載のスライドファスナーを使用したコネクタ部材であって、一対のファスナーエレメント列が噛合された状態では、一対のファスナーテープの導電層が電気的に接続されて電気信号を伝達可能とし、一対のファスナーエレメント列が分離された状態では、一対のファスナーテープの導電層の電気的接続が切断されることを特徴とするコネクタ部材。
【発明の効果】
【０００８】
本発明によれば、一対のファスナーテープと、一対のファスナーテープの対向するテープ側縁部をファスナーテープの裏面側に向かって折り曲げることにより形成される折曲縁部にそれぞれ設けられ、複数のファスナーエレメントを有する一対のファスナーエレメント列と、を備え、一対のファスナーテープに、一対のファスナーテープが一対のファスナーエレメント列の噛合により結合された状態において、一対のファスナーテープの幅方向に延びる導電層が少なくとも１つ設けられるため、製造コストの増加を抑えつつ、一方のファスナーテープから他方のファスナーテープに電気信号を安定して流すことができる。
【図面の簡単な説明】
【０００９】
【図１】本発明に係るスライドファスナーの一実施形態を説明する表面図である。
【図２】図１に示すスライドファスナーの裏面図である。
【図３】図１に示すスライドファスナーの左右のファスナーエレメントが噛合した状態の断面図である。
【図４】図１に示すスライドファスナーの左右のファスナーエレメントが分離した状態の断面図である。
【図５】図３に示すファスナーエレメントを説明する拡大斜視図である。
【図６】スライダーの摺動動作によって左右のファスナーテープの導電層が電気的に接続される状態を示す表面図であり、（ａ）はスライダー摺動前の図であり、（ｂ）はスライダー摺動後の図である。
【図７】本発明に係るスライドファスナーの一実施形態の第１変形例を説明する断面図である。
【図８】本発明に係るスライドファスナーの一実施形態の第２変形例を説明する断面図である。
【図９】本発明に係るスライドファスナーの一実施形態の第３変形例を説明する断面図である。
【発明を実施するための形態】
【００１０】
以下、本発明に係る導電機能を有するスライドファスナーの一実施形態について、図面に基づいて詳細に説明する。なお、以後の説明において、ファスナーテープに関しては、表側とは図１の紙面に対して手前側、裏側とは図１の紙面に対して奥側、上側とは図１の紙面に対して上側、下側とは図１の紙面に対して下側、左側とは図１の紙面に対して左側、右側とは図１の紙面に対して右側とする。また、ファスナーテープの左右方向は幅方向とも言う。また、ファスナーテープの上下方向は長さ方向とも言う。ファスナーエレメントに関しては、上側とは図３の紙面に対して上側、下側とは図３の紙面に対して下側、幅方向とは図３の紙面に対して左右方向とする。
【００１１】
本実施形態のスライドファスナー１０は、図１〜図３に示すように、非導電性材料（絶縁体）からなる左右一対のファスナーテープ２０と、左右一対のファスナーテープ２０の対向するテープ側縁部２０ａをファスナーテープ２０の裏面側に向かって略Ｕ字状に折り曲げることにより形成される折曲縁部２０ｂにそれぞれ設けられ、複数のファスナーエレメント３１を有する左右一対のファスナーエレメント列３０と、左右一対のファスナーエレメント列３０を噛合・分離させるスライダー４０と、左右のファスナーエレメント列３０の上端部にそれぞれ隣接して設けられる一対の上止部１１と、左右のファスナーエレメント列３０の下端部に隣接して設けられる開離嵌挿具１２と、を備える。
【００１２】
開離嵌挿具１２は、右側のファスナーテープ２０のファスナーエレメント列３０の下端部に隣接して設けられる箱棒１２ａ及び箱体１２ｂと、左側のファスナーテープ２０のファスナーエレメント列３０の下端部に隣接して設けられ、箱体１２ｂに挿入可能な蝶棒１２ｃと、を備える。なお、開離嵌挿具１２は、一対の上止部１１の同様の一対の下止部であってもよいし、左右のファスナーテープ２０を一体的に連結した下止部であってもよい。
【００１３】
また、右側のファスナーテープ２０の表面には、箱棒１２ａを取り付けたファスナーテープ２０の端部を補強するための補強部１２ｄが、箱棒１２ａから幅方向外側に向かって一体に延設されている。また、左側のファスナーテープ２０の表面には、蝶棒１２ｃを取り付けたファスナーテープ２０の端部を補強するための補強部１２ｅが、蝶棒１２ｃから幅方向外側に向かって一体に延設されている。
【００１４】
左右のファスナーエレメント列３０の各々は、複数のファスナーエレメント３１から構成されており、このファスナーエレメント３１は、例えば、ポリアミド、ポリアセタール、ポリプロピレン、ポリブチレンテレフタレートなどの合成樹脂を用いて、ファスナーテープ２０の折曲縁部２０ｂに射出成形されている。
【００１５】
ファスナーエレメント３１は、図３〜図５に示すように、ファスナーテープ２０の折曲縁部２０ｂ側の芯紐２０ｃを抱持する断面Ｃ字形状の基部３２と、基部３２の上側の先端から延設される平板状の第１テープ挟持部３３と、基部３２の下側の先端から延設される平板状の第２テープ挟持部３４と、第２テープ挟持部３４に形成される噛合部３５と、を有する。
【００１６】
噛合部３５は、第２テープ挟持部３４のテープ挟持面と反対側の面において基部３２から相手側のファスナーテープ２０に向けて延設される噛合頭部３５ａと、基部３２と噛合頭部３５ａとの間に形成され、噛合頭部３５ａよりも幅狭な首部３５ｂと、を有する。また、図４に示すように、第２テープ挟持部３４の先端面３４ａは、第１テープ挟持部３３の先端面３３ａよりも僅かに相手側のファスナーテープ２０に向けて突出するように構成されている。
【００１７】
このように構成されたファスナーエレメント３１では、左右のファスナーエレメント３１が噛合することにより、一方のファスナーエレメント３１の第１テープ挟持部３３の先端面３３ａと他方のファスナーエレメント３１の第１テープ挟持部３３の先端面３３ａとの間に左右のファスナーテープ２０が挟み込まれる。なお、左右のファスナーテープ２０の左右の第１テープ挟持部３３の先端面３３ａ間に挟み込まれた部分を挟み込み部分２０ｄと称する。また、挟み込み部分２０ｄに配置される導電層２１を備えるファスナーテープ２０の厚さは、第１テープ狭持部３３の先端面３３ａに対する第２テープ挟持部３４の先端面３４ａの突出量よりも大きい。
【００１８】
そして、図１に示すように、左右のファスナーテープ２０の表面には、帯状の導電層２１が設けられている。導電層２１は、図３に示すように、上止部１１と開離嵌挿具１２の間に形成されたファスナーエレメント列３０の間であって、ファスナーテープ２０の一方の側縁から他方の側縁に向けて幅方向に亘って連続して延びている。また、導電層２１は、ファスナーテープ２０の長手方向に沿って複数設けられている。さらに、導電層２１は、本実施形態では、図３に示すように、左右のファスナーテープ２０の上記挟み込み部分２０ｄの表面にまで延設されている。
【００１９】
このような左右のファスナーテープ２０には、その長手方向において、それぞれ同じ位置に導電層２１が設けられており、左右のファスナーエレメント列３０が噛合された状態では、噛合されたファスナーエレメント列３０間にある導電層２１の各々が互いに接触状態となり、電気的に接続される。また、左右のファスナーエレメント列３０が分離された状態では、分離されたファスナーエレメント列３０間にある導電層２１の各々が互いに非接触状態となり、電気的接続が切断される。
【００２０】
導電層２１は、導電性塗料をファスナーテープ２０に塗布することにより形成されている。なお、導電層２１は、導電性塗料の塗布に限定されず、導電性フィルムの貼り付けや、ファスナーテープ２０の緯糸に導電性糸を使用するなどにより形成されていてもよい。また、導電層２１は、必ずしもファスナーテープ２０の表面に設ける必要はなく、例えば、織成あるいは編成のファスナーテープの組織間に導電性塗料が浸漬した状態であってもよい。また、導電層２１を２枚の絶縁性フィルムで挟み込んだファスナーテープとしてもよい。
【００２１】
このように構成されたスライドファスナー１０では、図６に示すように、スライダー４０を摺動させることにより、左右のファスナーエレメント列３０が噛合すると共に、左右のファスナーテープ２０の導電層２１が互いに接触して、電気的に接続される。このため、一方のファスナーテープ２０の導電層２１に流された電気信号は、他方のファスナーテープ２０の導電層２１に伝達される。
【００２２】
次に、本実施形態のスライドファスナー１０の使用例について説明する。
例えば、図１に示すように、医療用ベッドのシーツ５０に使用することが考えられる。具体的には、シーツ５０の側縁部５１にスライドファスナー１０の右側のファスナーテープ２０を縫い付け、シーツ５０内に設置される複数のセンサー５２と右側のファスナーテープ２０の複数の導電層２１とをそれぞれ導電糸５３で接続すると共に、左側のファスナーテープ２０の複数の導電層２１と外部の計測機器５４とを複数のケーブル５５で接続して使用する。このため、スライドファスナー１０を左右に分離することにより、シーツ５０側と計測機器５４側とを容易に切り離すことができると共に、スライドファスナー１０を結合することにより、シーツ５０側と計測機器５４側とを容易に接続することができる。また、スライドファスナー１０は、通常のスライドファスナーと同様な取り扱いが可能なため、スライドファスナー１０を左右に分離することにより、シーツ５０を洗濯することができる。
【００２３】
以上説明したように、本実施形態のスライドファスナー１０によれば、左右一対のファスナーテープ２０の表面に、左右一対のファスナーテープ２０が左右一対のファスナーエレメント列３０の噛合により結合された状態において、左右一対のファスナーテープ２０の幅方向に亘って連続する帯状の導電層２１が複数設けられるため、製造コストの増加を抑えつつ、一方のファスナーテープ２０から他方のファスナーテープ２０に電気信号を安定して流すことができる。
【００２４】
また、本実施形態のスライドファスナー１０によれば、導電層２１が左右のファスナーテープ２０の挟み込み部分２０ｄの表面にまで設けられるため、左右のファスナーテープ２０の導電層２１の端部を面接触させることができ、電気信号を更に安定して流すことができる。特に好適には、挟み込み部分２０ｄに配置される導電層２１を備えるファスナーテープ２０の厚さを、第２テープ狭持部３４の突出量よりも大きくすることで、電気信号を更に安定して流すことができる。
【００２５】
また、本実施形態のスライドファスナー１０によれば、導電層２１は、ファスナーテープ２０の長手方向において、ファスナーエレメント列３０の範囲内に設けられるため、スライダー４０の操作により、導電層２１を容易に接触状態又は非接触状態とすることができる。
【００２６】
また、本実施形態のスライドファスナー１０によれば、導電層２１は、ファスナーテープ２０の長手方向において、少なくとも２つ以上のファスナーエレメント３１の間隔を空けて設けられており、導電層２１間は電気的に非接触状態であるため、異なる情報をもつ電気信号の接続、切断を１つのスライドファスナー１０の操作によって行うことができる。
【００２７】
また、本実施形態のスライドファスナー１０によれば、導電層２１は、ファスナーテープ２０に固着されており、ファスナーテープ２０は絶縁体であるため、一方のファスナーテープ２０から他方のファスナーテープ２０に電気信号を容易に安定して流すことができる。
【００２８】
なお、本発明は、スライドファスナー１０の左右のファスナーエレメント列３０が噛合された時に左右の導電層２１の一部が互いに接触する構成であればよく、例えば、本実施形態の第１変形例として、図７に示すように、導電層２１は、左右のファスナーテープ２０の挟み込み部分２０ｄの表面にまで設けられていなくてもよい。
【００２９】
また、本実施形態の第２変形例として、図８に示すように、樹脂製のファスナーエレメント３１の代わりに金属製のファスナーエレメント６１を使用してもよい。このファスナーエレメント６１は、ファスナーテープ２０の折曲縁部２０ｂの芯紐２０ｃを抱持する断面Ｃ字形状の基部６２と、基部６２の上側の先端から延設される平板状の第１テープ挟持部６３と、基部６２の下側の先端から延設される平板状の第２テープ挟持部６４と、第２テープ挟持部６４に形成され、噛合頭部６５ａを有する噛合部６５と、を有する。
【００３０】
また、第１テープ挟持部６３の先端部には、噛合状態において、相手側のファスナーエレメント６１との間に左右のファスナーテープ２０を挟み込む押圧部６６が形成されている。従って、左右のファスナーエレメント６１が噛合することにより、一方のファスナーエレメント６１の押圧部６６の押圧面６６ａと他方のファスナーエレメント６１の押圧部６６の押圧面６６ａとの間に左右のファスナーテープ２０が挟み込まれる。
【００３１】
また、本実施形態の第３変形例として、図９に示すように、樹脂製のファスナーエレメント３１の代わりにコイル状のファスナーエレメント７１を使用してもよい。このファスナーエレメント７１は、噛合頭部７１ａと、噛合頭部７１ａの上端部から幅方向外側に延びる上脚部７１ｂと、噛合頭部７１ａの下端部から幅方向外側に延びる下脚部７１ｃと、上脚部７１ｂの幅方向外端部と隣り合うファスナーエレメント７１の下脚部７１ｃの幅方向外端部とを連結する連結部７１ｄと、を備える。そして、ファスナーエレメント７１は、その内部に通される芯紐７２と共に縫い糸７３によってファスナーテープ２０の折曲縁部２０ｂに縫い付けられる。
【００３２】
なお、本発明は上記実施形態に例示したものに限定されるものではなく、本発明の要旨を逸脱しない範囲において適宜変更可能である。
例えば、本実施形態では、スライダーを使用して左右のスライドファスナーエレメント列を噛合したが、これに限定されず、スライダーを使用せずに手作業により左右のスライドファスナーエレメント列を噛合してもよい。
【００３３】
また、本実施形態では、導電層２１は、左右のファスナーテープ２０の幅方向に亘って連続して設けられているが、これに限定されず、例えば、導電層２１は、左右のファスナーテープ２０の幅方向のみならず、部分的に上下方向に延びていてもよい。また、導電層２１は、左右のファスナーテープ２０の幅方向の端部まで延ばさずに途中から外部と電気的に接続されていてもよい。
【００３４】
また、本実施形態の使用例に限定されず、スライドファスナー１０の噛合・分離に合わせて、左右のファスナーテープ２０に設けられた導電層２１が電気信号を接続・切断する構成を利用して、スライドファスナー１０をコネクタ部材に使用することができる。
【符号の説明】
【００３５】
１０    スライドファスナー
１２    開離嵌挿具
２０    ファスナーテープ
２０ａ  テープ側縁部
２０ｂ  折曲縁部
２０ｃ  芯紐
２０ｄ  挟み込み部分
２１    導電層
３０    ファスナーエレメント列
３１    ファスナーエレメント
３２    基部
３３    第１テープ挟持部
３３ａ  先端面
３４    第２テープ挟持部
３５    噛合部
４０  スライダー
６１  ファスナーエレメント
７１  ファスナーエレメント
【図１】
2014097110.tif 000003
【図２】
2014097110.tif 000004
【図３】
2014097110.tif 000005
【図４】
2014097110.tif 000006
【図５】
2014097110.tif 000007
【図６】
2014097110.tif 000008
【図７】
2014097110.tif 000009
【図８】
2014097110.tif 000010
【図９】
2014097110.tif 000011